(57)【要約】【課題】オペレータによる作業を能率的に行う画像処理装置を構成する。【解決手段】予め設定されている複数のワークフローの１つを指定し、そのワークフローの処理ステップの増減、処理ステップの順序の変更等の編集をワークフロー編集手段２９で行い、編集の後に保存されたワークフローをワークフロー選択手段３０によって人為的に選択して実行する。【選択図】図２
2009141413.tif 000002
【特許請求の範囲】
【請求項１】
画像処理における処理ステップに関連付けられた複数の処理プロセスから指定された処理プロセスを実行する出力処理部を備えている画像処理装置であって、
予め設定されている複数のワークフローの１つを指定し、そのワークフローの処理ステップの増減、処理ステップの順序の変更、処理ステップに関連付けられている処理プロセスの増減、処理プロセスの順序の変更の少なくとも１つを行い、新たなワークフローとして保存可能なワークフロー編集手段を備えると共に、
保存された複数のワークフローのうち選択されたものの処理プロセスを前記出力処理部で実行させるワークフロー選択手段を備えている画像処理装置。
【請求項２】
前記ワークフロー編集手段は、前記処理ステップにおいて自動的に行うべき処理プロセスのシーケンスの編集を行う請求項１記載の画像処理装置。
【請求項３】
前記ワークフロー編集手段は、前記処理ステップのアイコンをモニタに表示し、そのアイコンをポインティングデバイスで指定することで、処理ステップの編集が実現されるＧＵＩ型のインタフェースが設定されている請求項１又は２記載の画像処理装置。
【発明の詳細な説明】
【技術分野】
【０００１】
本発明は、画像処理における処理ステップに関連付けられた複数の処理プロセスから指定された処理プロセスを実行する出力処理部を備えている画像処理装置に関し、詳しくは、処理ステップの変更を実現する技術に関する。
【背景技術】
【０００２】
上記のように構成された、画像処理装置として、モニタに複数枚のタブ付きカードを表示し、写真商品サービスに対応したタブを選択することにより、対応した処理を実現するグラフィックインターフェースを備えたものが存在する（例えば、特許文献１参照）。
【０００３】
この特許文献１では、写真プリント装置を取り扱うオペレータの熟練度に対応した複数のタブ付きカードをモニタに表示しておき、熟練度に対応したカードを選択することにより、低い熟練度のオペレータが、高い熟練度を要求される写真商品サービスの処理を行うと云う不都合を解消できるものにしている。
【０００４】
【特許文献１】特開２００４‐１７７５７７号公報  （〔段落番号〔００２１〕〜〔００３５〕、図３〜図７）
【発明の開示】
【発明が解決しようとする課題】
【０００５】
ＤＰ店に設置されているデジタル型のミニラボと称される写真プリント装置での処理を例に挙げると、デジタルカメラにおいて撮影に使用されたメディアから画像データを取得して、サービスサイズと称される決まったサイズのプリントを行う処理は、画像データの補正を自動的に行う程度の処理で済むため、熟練度が低いオペレータにも比較的容易に操作できる。
【０００６】
これに対して、ポートレートのように比較的大判の写真のプリントを行う場合には、Ｒ（赤）、Ｇ（緑）、Ｂ（青）やＣ（シアン）、Ｍ（マゼンタ）、Ｙ（イエロー）の３原色に対応した色補正を必要とするばかりでなく、トリミングを必要とすることやテンプレートとの合成を必要とすることもあり、高い熟練度のオペレータが操作を行う必要がある。
【０００７】
また、証明写真のプリントを行う場合には、構図を決める程度の操作を必要とすることから、オペレータに少し熟練を必要とする。
【０００８】
このように、オペレータの熟練度に対応した処理を容易にするためには特許文献１に記載される技術も有効となる。しかしながら、写真プリント装置での処理として、証明写真のプリントや、テンプレートを用いた画像データの合成等の処理は、画像データの取得からプリントまでの処理ステップが多いものであるが、処理ステップにおいては決まった処理を選択することが多く、このような処理を能率的に行う技術も望まれている。
【０００９】
本発明の目的は、オペレータによる作業を能率的に行い得る画像処理装置を合理的に構成する点にある。
【課題を解決するための手段】
【００１０】
本発明の特徴は、画像処理における処理ステップに関連付けられた複数の処理プロセスから指定された処理プロセスを実行する出力処理部を備えている画像処理装置であって、
予め設定されている複数のワークフローの１つを指定し、そのワークフローの処理ステップの増減、処理ステップの順序の変更、処理ステップに関連付けられている処理プロセスの増減、処理プロセスの順序の変更の少なくとも１つを行い、新たなワークフローとして保存可能なワークフロー編集手段を備えると共に、
保存された複数のワークフローのうち選択されたものの処理プロセスを前記出力処理部で実行させるワークフロー選択手段を備えている点にある。
【００１１】
この構成によると、ワークフロー編集手段により、予め設定されているワークフローの処理ステップの増減、処理ステップの処理プロセスの順序の変更、処理ステップに関連付けられている処理プロセスの増減、処理プロセスの順序の変更の少なくとも１つを行う編集を行い、新たなワークフローとして保存できる。このようにワークフローを保存した後には、保存されているワークフローをワークフロー選択手段で選択して出力処理部において、そのワークフローの処理ステップを実行できる。つまり、予め設定されているワークフローのうち、例えば、出力処理に対応して不必要となる処理ステップを削除することにより、任意に設定した出力処理を簡単に実行できる。その結果、オペレータによる作業を能率的に行い得る画像処理装置が構成された。
【００１２】
本発明においては、前記ワークフロー編集手段は、前記処理ステップにおいて自動的に行うべき処理プロセスのシーケンスの編集を行っても良い。これによると、処理ステップにおいて決まった順序で行うべき処理プロセスを、ワークフロー編集手段で編集しておくことにより、決まった処理プロセスを自動的に実行できる。
【００１３】
本発明においては、前記ワークフロー編集手段は、前記処理ステップのアイコンをモニタに表示し、そのアイコンをポインティングデバイスで指定することで、処理ステップの編集が実現されるＧＵＩ型のインタフェースが設定されても良い。これによると、ＧＵＩ型の操作によって容易にワークフローを編集できる。
【発明を実施するための最良の形態】
【００１４】
以下、本発明の実施形態を図面に基づいて説明する。
〔全体構成〕
図１に示すように、現像済みの写真フィルムＦの画像情報のデジタル信号化を行い、デジタル信号化された画像情報の処理を行い、システム全体の基本的な制御を行うオペレート部Ａを備えると共に、感光材料としての銀塩式のカラー印画紙Ｐ（以下、印画紙Ｐと略称する）に対して露光処理と現像処理とを行い、乾燥処理を行った後に送り出すプリント部Ｂを備えることにより画像処理装置としての写真プリント装置が構成されている。
【００１５】
〔オペレート部〕
前記オペレート部Ａは、コンソール１に対して写真フィルムＦのコマ画像の情報を光電変換によりデジタル信号化して取り込むフィルムスキャナ２と、各種情報を表示するモニタ３と、画像処理と各種処理とを実現するよう汎用コンピュータで成る処理装置４とを配置している。また、コンソール１の上面に情報を入力するためのキーボード５と、ポインティングデバイスとして機能するマウス６とを備えている。前記処理装置４の上部位置にＣＤやＭＯやＦＤ等のディスク型の記憶手段からの情報を取得する、あるいは、半導体型の記憶手段からの情報を取得するよう記憶手段の構造に対応したメディアドライブ７を備え、内部に情報を保存する半導体メモリやハードディスク等（図示せず）を備えている。
【００１６】
前記フィルムスキャナ２は、写真フィルムＦのサイズに適合したフィルムキャリア８をセットすることにより、写真フィルムＦのコマの画像情報をデジタル信号化し、画像データとして取り込む処理を行う。
【００１７】
〔プリント部〕
前記プリント部Ｂは、露光ブロックＥｘと、現像ブロックＤｅと、乾燥ブロックＤｒとを筐体１０に収納して成ると共に、筐体１０の外部には、処理の後に筐体１０の上部から水平方向に送り出される印画紙Ｐを搬送するベルト搬送機構１１を備えている。このベルト搬送機構１１から送られる印画紙Ｐをオーダ単位で仕分けて集積するよう複数のトレー１２を有したソータ１３を備え、更に、ベルト搬送機構１１の下方位置には大きいサイズの印画紙Ｐを受け止めるラック１４を備えている。
【００１８】
前記処理装置４は、フィルムスキャナ２で取り込んだ画像データ、あるいは、前記メディアドライブ７でメディアから取り込んだ画像データを前記半導体メモリ２１やハードディスクＨＤ（図２を参照）に保存する処理を行う。このように取り込んだ画像データは印画紙Ｐにプリントする出力処理と、ＣＤ−Ｒ等のメディアに記録する出力処理との少なくとも一方の出力が行われる。
【００１９】
〔制御系〕
写真プリント装置の制御系の概要を図２のように示している。つまり、前記処理装置４は、入出力インタフェース２０と、この入出力インタフェース２０（Ｉ／Ｏ）からの情報を処理するマイクロプロセッサＣＰＵとを備えている。前記入出力インタフェース２０は、前記フィルムスキャナ２、モニタ３、キーボード５、マウス６、メディアドライブ７、ハードディスクＨＤ夫々からの情報がアクセスする。また、ＣＰＵのデータバスに対して半導体メモリ２１、オペレーティングシステム２２、画像データ取得手段２３、処理データ取得手段２４、画面制御手段２５、補正処理手段２６、画像加工手段２７、プリント実行手段２８（出力処理部の一例）、ワークフロー編集手段２９、ワークフロー選択手段３０、ワークフロー実行手段３１からの情報がアクセスできるように接続している。
【００２０】
オペレーティングシステム２２、画像データ取得手段２３、処理データ取得手段２４、画面制御手段２５、補正処理手段２６、画像加工手段２７、プリント実行手段２８、ワークフロー編集手段２９、ワークフロー選択手段３０、ワークフロー実行手段３１夫々は前記半導体メモリ２１に展開されるソフトウエアを想定しているが、ロジック等のハードウエアで構成して良く、また、ハードウエアとの組み合わせによって構成しても良い。
【００２１】
前記オペレーティングシステム２２は、半導体メモリ２１を管理すると共に、ソフトウエアを半導体メモリ２１に展開して実行を実現するものであり、前記キーボード５やマウス６の情報を取得して、実行中の処理に与えるインタフェースとしても機能する。前記画像データ取得手段２３は、前記フィルムスキャナ２あるいは前記メディアドライブ７から画像データを取得する。前記処理データ取得手段２４はプリントサイズ、プリント枚数等のオーダデータを取得する処理を実現する。
【００２２】
前記画面制御手段２５はモニタ３に対し、処理に必要な複数種の画面を表示し、その画面に表示されるアイコン等の情報に基づいてＧＵＩ型に必要な処理を実現する。
【００２３】
前記補正処理手段２６は、色補正、濃度補正等の補正処理を実現する。前記画像加工手段２７は、画像データのズームによる拡大や縮小、トリミング、回転等の加工処理を実現する。前記プリント実行手段２８は、処理データ取得手段２４で取得した処理データに基づいて画像データを前記プリント部Ｂに伝送してプリント処理を実現する。
【００２４】
〔出力処理の概要〕
本発明の写真プリント装置では、効率的な作業を行うために既に設定されているワークフローをオペレータが編集し、新たなワークフローとして保存しておき、処理に対応してワークフローを選択することにより効率的な作業を実現できるように処理装置４が構成されている。
【００２５】
図３にプリント処理を実行するワークフローの基本的な概念を表している。つまり、取得した画像データと処理データとに基づいてプレビュー画面（図７を参照）に表示するプレビュー画面処理（＃０１処理ステップ）を行う。このプレビュー画面に表示されている画像データの画像処理を行う画面上処理（＃０２処理ステップ）を行い、更に、プレビュー画面に表示されている画像データの１つを指定して拡大状態で処理を実現する拡大画面処理（＃０３処理ステップ）を行う。そして、プレビュー画面に対するオペレータの操作に基づいてプリント出力（＃０４処理ステップ）を行う。
【００２６】
前記プレビュー画面処理では、ページ切換、プリント実行を実現する。画面上処理では、色補正、濃度補正、プリント枚数の設定等の処理プロセスが関連付けられている。また、拡大画面処理では、濃度補正、色補正、トリミング、画像反転、画像回転、カラー変換等の処理プロセスが関連付けられている。これらの処理形態を以下に説明する。
【００２７】
〔処理形態〕
図４のフローチャートに写真プリント装置での出力処理の処理形態を示している。つまり、モニタ３に表示された初期画面（図示せず）において設定を行った後に図６に示すワークフロー処理画面３５がモニタ３に表示される。このワークフロー処理画面３５において実行すべきワークフローを選択して画像データの出力処理を行う、又は、ワークフローの編集が可能となる（＃１０１〜＃１０３ステップ・＃２００ステップ）。
【００２８】
初期画面では、プリントチャンネル、プリント形態、メディアへの出力の有無等の初期情報の設定が行われる。図６に示すワークフロー処理画面３５は複数のワークフローを表示するワークフロー表示部３６と、ＯＫボタン３７と、キャンセルボタン３８と、下部の編集ボタン３９とを備えている。
【００２９】
同図では、ワークフロー表示部３６に対して、丁寧仕上げ３６ａ、高品質３６ｂ、通常品質３６ｃ、自動仕上げ３６ｄ夫々のワークフローが保存されていることを示している。また、各ワークフローは、自動仕上げを除いて、プレビュー画面処理と、画面上処理と、拡大画面処理との処理ステップのうちの少なくとも１つを備えている。
【００３０】
ワークフロー表示部３６に表示されているワークフローの何れか１つをカーソルＣｕで選択し、この後、ＯＫボタン３７をカーソルＣｕで選択してマウス６のスイッチをクリックすることにより、選択したワークフローを実行できる（ワークフロー選択手段３０・ワークフロー実行手段３１による処理）。これに対して、編集ボタン３９を操作した場合にはワークフロー編集が実現する（ワークフロー編集手段２９による処理・この編集の処理は後述する）。
【００３１】
このフローチャートでは、高品質３６ｂのワークフローが選択された状況における処理を以下に説明する。高品質３６ｂのワークフローが実行される際には、フィルムスキャナ２、メディアドライブ７で取り込まれ、図７に示すプレビュー画面４０がモニタ３に表示されると共に、取り込まれた画像データのサムネイル画像がプレビュー画面４０に表示される。そして、このプレビュー画面４０において画面上処理と、拡大画面処理との実行が可能となる（＃１０４、＃１０５ステップ）。
【００３２】
プレビュー画面４０は、画像データを表示する複数の画像表示部４１が形成され、画面の下方位置にオーダ情報表示部４２が形成されている。また画像表示部４１の下方位置にＹ（イエロー）、Ｍ（マゼンタ）、Ｃ（シアン）に対応した色補正選択ボタン４３と、濃度補正選択ボタン４４と、プリント枚数表示部４５とが形成されている。更に、画像表示部４１の上部位置に画像データを特定するコマ表示部４６が形成され、画面の下側にはプリント処理を開始するスタートボタン４７が形成されている。
【００３３】
このプレビュー画面４０では、濃度不足のようにプリントに不適切として自動抽出された画像データ、あるいは、オペレータがプリントを行わないものとして設定した画像データの画像表示部４１に「Ｐａｓｓ」のメッセージが表示される。
【００３４】
また、このプレビュー画面４０では、オペレータがマウス６の操作でカーソルＣｕを３つの色補正選択ボタン４３の１つの位置に一致させてマウス６のスイッチをクリックすることでマニュアル補正による対応した色の色補正が実現する。これと同様に濃度補正選択ボタン４４にカーソルＣｕを一致させてマウス６のスイッチをクリックすることで濃度補正が実現する。このように色補正選択ボタン４３による色補正を行った場合、及び、濃度補正選択ボタン４４による濃度補正を行った場合には、補正結果が画像表示部４１に表示されている画像データに反映される。
【００３５】
更に、プリント枚数表示部４５をカーソルＣｕで選択した状態で、マウス６のスイッチをクリックすることや、キーボード５から枚数を入力するプリント枚数の設定を行える。
【００３６】
また、色補正、濃度補正では、マウス６のスイッチのクリック回数の積算値が補正量に対応することになる。そして、プレビュー画面４０に表示されたボタン類をカーソルＣｕで操作する処理が画面上処理に対応する。特に、色補正、濃度補正、プリント枚数の設定が、この画面上処理に関連付けられた処理となる。
【００３７】
このプレビュー画面４０の画像表示部４１をカーソルＣｕで指定し、マウス６のスイッチをクリックすることにより、図８に示す１コマ処理画面５０が新たに表示され、この１コマ処理画面５０に対して、拡大した画像データが表示され、この１コマ処理画面５０において拡大画面処理による処理が実現する。
【００３８】
１コマ処理画面５０は、画像表示領域５１が形成されると共に、この側部にはＹ（イエロー）、Ｍ（マゼンタ）、Ｃ（シアン）に対応した３つの色補正ボタン５２と、１つの濃度補正ボタン５３と、画像データのサイズを無段階に調節するズーム設定部５４と、画像データを左右反転させる左右反転ボタン５５と、画像データを上下反転させる上下反転ボタン５６と、カラー変換設定部５７と、画像データの回転量を設定する画像回転設定部５８とが形成されている。
【００３９】
この１コマ処理画面５０において、色補正ボタン５２と濃度補正ボタン５３との操作による補正は、プレビュー画面４０における操作と同じである。尚、色補正ボタン５２による色補正を行った場合、及び、濃度補正ボタン５３による濃度補正を行った場合には、補正結果が画像表示領域５１に表示されている画像データに反映される。
【００４０】
また、ズーム設定部５４によって拡大率を設定することにより画像データの拡大あるいは縮小が実現し、設定された拡大率の画像データが画像表示領域５１に表示される。左右反転ボタン５５は画像データの左右を反転する処理プロセスを実現し、上下反転ボタン５６は画像データの上下を反転する処理プロセスを実現し、これらの反転の処理結果が画像表示領域５１に表示される。
【００４１】
カラー変換設定部５７はカラーとモノクロとセピアとの何れかをチェックすることにより、チェックした色相に変換する処理プロセスを実現し、変換結果が画像表示領域５１の画像データに反映される。更に、画像回転設定部５８で回転角度を設定することによって画像データの回転を実現し、回転結果が画像表示領域５１の画像データに反映される。
【００４２】
この１コマ処理画面５０に表示されたボタン類をカーソルＣｕで操作する処理が拡大画面処理に対応する。特に、色補正、濃度補正、ズーム設定等が、この拡大画面処理に関連付けられた処理となる。尚、プレビュー画面４０と１コマ処理画面５０とにおける補正処理は、補正処理手段２６が実現し、１コマ処理画面５０における拡大や反転等の加工処理は画像加工手段２７が実現する。
【００４３】
このようにプレビュー画面４０では、前述した画面上処理（＃０２処理ステップ）に関連付けられた処理を行う、又は、前述した拡大画面処理（＃０３処理ステップ）に関連付けられた処理を行う、又は、画面上処理（＃０２処理ステップ）に関連付けられた処理プロセスと拡大画面処理（＃０３処理ステップ）に関連付けられた処理プロセスとを行う。
【００４４】
この後、プレビュー画面４０のスタートボタン４７をカーソルＣｕで選択し、マウス６のスイッチをクリックすることにより、このワークフローでの処理を終了し、プリント処理が行われる（＃１０６、＃１０７ステップ・プリント実行手段２８による処理）。更に、システムを終了することにより、前述した初期画面に基づいた設定からの処理を終了できる（＃１０８ステップ）。
【００４５】
ワークフロー編集を、図５のフローチャートのように示すことが可能である。つまり、前記ワークフロー処理画面の編集ボタン３９をカーソルＣｕで選択してマウス６のスイッチをクリックした場合には、図６に示す編集対象指定画面６０がモニタ３に表示され、次に、図１０に示すワークフロー編集画面７０がモニタ３に表示され、ワークフローの編集を行える（＃２０１〜＃２０３ステップ・ワークフロー編集手段２９による処理）。
【００４６】
編集対象指定画面６０にはプリント出力におけるプリントの形態を示す「通常のプリント」、「証明写真」、「ポストカード」夫々に対応した指定ボタン６１と、メディア出力における出力形態を示す「ＣＤ−Ｒ」に対応した指定ボタン６２とが表示されると共に、キャンセルボタン６３が表示されている。そして、指定ボタン６１、６２の何れかを操作することによりワークフロー編集画面７０が表示される。
【００４７】
図１０に示すワークフロー編集画面７０には、「通常のプリント」に対応する指定ボタン６１が指定された際の表示内容を示しており、ノーマル表示領域７１に対して、処理装置４において画像処理のために予め設定されているワークフローが表示される。この下部に編集領域７２が表示され、この下方位置にキャンセルボタン７３と保存ボタン７４と、録画ボタン７５とが形成されている。
【００４８】
同図に示すように、ノーマル表示領域７１に示されるワークフローとして、プレビュー画面処理と、画面上処理と、拡大画面処理との３つの処理ステップがアイコンＩＣとして表示され、この処理ステップに対応するアイコンＩＣの何れかを、カーソルＣｕで指定し、ドラッグアンドドロップすることで、編集領域７２に処理ステップのアイコンＩＣを表示するように、ワークフロー編集手段２９はＧＵＩ型のインタフェースを備えている。
【００４９】
更に、編集領域７２に表示された処理ステップのアイコンＩＣをカーソルＣｕで指定してマウス６のスイッチをクリックすることにより、処理情報表示部７６が表示され、処理ステップに関連付けられた処理プロセスの情報が表示される。同図では、色補正、濃度補正、自動補正の３つの処理プロセスが示され、実行可能にすべき処理プロセスをチェックしておくことにより、チェックされた処理プロセスが、処理ステップにおいて実行できる。尚、自動処理をチェックした場合にはオペレータが操作を行わずとも自動補正が実行されることになる。
【００５０】
そして、保存ボタン７４をカーソルで選択してマウス６のスイッチをクリックすることにより、ワークフローの名称の入力が求められ、名称の入力の後に新たなワークフローとして保存される（＃２０４、＃２０５ステップ）。尚、この編集により図６に示すワークフローを生成して保存できる。
【００５１】
図面には示していないが、プレビュー画面処理と、画面上処理と、拡大画面処理との３つの処理ステップの何れのステップの処理も行わずに自動補正を行う場合には、編集領域７２にアイコンを表示せず、この編集領域７２を選択してマウス６のスイッチをクリックすることにより、前記処理情報表示部７６と同様の表示が行われ、この表示に基づいて自動補正を設定できる。
【００５２】
また、編集処理（＃２０３ステップ）では、証明写真のように、オペレータが行う処理ステップが比較的多いものにおいて、オペレータが決まった操作を行うものについては、処理の自動実行を設定することも可能である。
【００５３】
具体的には、ワークフロー編集画面７０の録画ボタン７５を操作することにより、図１１に示すように、録画確認領域７７と、複数の録画制御ボタン７８が、ワークフロー編集画面７０に表示される。そして、録画制御ボタン７８の録画ボタンを操作することで、モニタ３に対して現実に行う画面が表示され、この画面においてオペレータが操作を行うことにより、オペレータが行った各操作が、操作を行った順序で保存される（ワークフロー編集手段２９による処理）。
【００５４】
同図には、エディットに関連付けられた処理プロセスとして、フォーム選択、自動挿入、−９０°回転、顔位置指定画面、１７５％拡大、プレビュー表示の各処理プロセスが、オペレータが操作した順序で表示された状態を示している。
【００５５】
尚、フォーム選択の処理プロセスではプリントサイズを選択し、自動挿入の処理プロセスでは、フォームに画像データ（人物の顔）を挿入し、−９０°回転の処理プロセスでは画像データを−９０°回転させる。そして、顔位置指定画面では顔位置指定画面を表示して顔の位置の指定を可能にする。次に、１７５％拡大の処理プロセスでは画像データを１７５％拡大し、プレビュー表示の処理プロセスではプリントを実行した際の画像データのイメージが表示される。
【００５６】
特に、このように処理プロセスのうち自動的に行うべき処理プロセスのシーケンスの設定を行うことにより、例えば、スタジオで決まった構図で、決まった大きさで撮影した画像データから証明写真をプリントする場合のように、カメラの縦横の姿勢に合わせた画像データの回転や、画像データの縮小を自動的に行えるものとなり、能率的な処理を実現する。
【００５７】
また、処理プロセスのシーケンスを設定する処理として、録画する形態でなくても良く、例えば、処理プロセスのアイコンやシンボル等のイメージをドラッグアンドドロップする形態で配置することによりシーケンスを設定するものであっても良い。
【００５８】
〔発明の概念〕
このように、本発明では、写真プリント装置において予め設定されているワークフローを指定し、ワークフロー編集手段で編集し、新たなワークフローとして保存して能率的な作業を行える。特に、ワークフローを新たに保存した後には、保存したワークフローを選択して実行することにより、出力処理に対応した必要最小限の処理を行わせることも可能になるため、不要な処理を行わずに済むものとなり、処理の手間を低減できるのである。また、処理ステップに関連付けられている処理プロセスを自動的に行うように処理プロセスのシーケンスを設定することにより、オペレータの手間を一層軽減した出力処理が実現するのである。
【００５９】
また、本発明では、ワークフローを人為的に選択することが基本的な操作形態であるが、例えば、決まった作業を行う時間帯では予め設定されたワークフローを自動的に選択するように処理形態を設定しても良い。
【図面の簡単な説明】
【００６０】
【図１】写真プリント装置の全体構成を示す斜視図
【図２】処理装置の制御系を示すブロック回路図
【図３】ワークフローの基本的な概念を示す図
【図４】出力処理のフローチャート
【図５】ワークフロー編集のフローチャート
【図６】ワークフロー処理画面を示す図
【図７】プレビュー画面を示す図
【図８】コマ処理画面を示す図
【図９】編集対象指定画面を示す図
【図１０】ワークフロー編集画面を示す図
【図１１】ワークフロー編集画面を示す図
【符号の説明】
【００６１】
３            モニタ
６            ポインティングデバイス（マウス）
２８          出力処理部（プリント実行手段）
２９          ワークフロー編集手段
３０          ワークフロー選択手段
ＩＣ          アイコン
【図１】
2009141413.tif 000003
【図２】
2009141413.tif 000004
【図３】
2009141413.tif 000005
【図４】
2009141413.tif 000006
【図５】
2009141413.tif 000007
【図６】
2009141413.tif 000008
【図７】
2009141413.tif 000009
【図８】
2009141413.tif 000010
【図９】
2009141413.tif 000011
【図１０】
2009141413.tif 000012
【図１１】
2009141413.tif 000013